(57)【要約】【課題】振動板の前後方向への変位特性を線形化して、音響的な歪みの発生を抑止でき、しかも、製造コストの低減や製品歩留まりの向上を図ることのできるスピーカエッジ及びその製造方法を提供すること。【解決手段】振動板１３の外周に接合される振動板側フランジ３１と、該振動板側フランジ３１の外周に連接されて振動板１３の振動を制振する緩衝部３２と、該緩衝部３２の外周から張り出してスピーカフレーム１７に接合されるフレーム側フランジ３３とを備えて、振動板１３の外周をスピーカ軸方向に変位可能にスピーカフレーム１７に接続するスピーカエッジ２１において、緩衝部３２は、振動板１３の振幅方向に対向する前面３２ａ及び後面３２ｂが互いに対称な凸円弧形状となる中実構造に形成する。【選択図】図３
2007325093.tif 000002
【特許請求の範囲】
【請求項１】
振動板の外周に接合される振動板側フランジと、該振動板側フランジの外周に連接されて振動板の振動を制振する緩衝部と、該緩衝部の外周から張り出してスピーカフレームに接合されるフレーム側フランジと、を備えて、前記振動板の外周をスピーカ軸方向に変位可能にスピーカフレームに接続するスピーカエッジであって、
前記緩衝部が、振動板の振幅方向に対向する前面及び後面が互いに対称な凸円弧形状となる中実構造に形成されていることを特徴とするスピーカエッジ。
【請求項２】
前記振動板側フランジと、前記緩衝部と、前記フレーム側フランジとを、発泡構造を持つ弾性材料により一体形成したことを特徴とする請求項１に記載のスピーカエッジ。
【請求項３】
請求項１又は２に記載のスピーカエッジの製造方法であって、
弾性材料製の板材を圧縮成形することにより、前記振動板側フランジと、前記緩衝部と、前記フレーム側フランジとを一体形成したことを特徴とするスピーカエッジの製造方法。
【発明の詳細な説明】
【技術分野】
【０００１】
本発明は、振動板の外周をスピーカ軸方向に変位可能にスピーカフレームに接続するスピーカエッジと、その製造方法に関する。
【背景技術】
【０００２】
一般に、振動板の外周をスピーカ軸方向に変位可能にスピーカフレームに接続するスピーカエッジとして、下記特許文献１に記載の形態のものが、普及している。
このスピーカエッジは、所謂ロールエッジと呼ばれているもので、振動板の外周に接合される振動板側フランジ（内周縁）と、該振動板側フランジの外周に連接されて振動板の振動を制振する緩衝部と、該緩衝部の外周から張り出してスピーカフレームに接合されるフレーム側フランジ（外周縁）とを備え、緩衝部が振動板の振幅方向前方に向かって凸の湾曲形状（ロール形状）に成形されている。
【０００３】
ところが、このようなロールエッジは、その構造上、振動板が前方に変位する場合と後方に変位する場合とでは緩衝部の変形の形態が異なり、振動板に加えられるボイスコイルからの駆動力と振動板の変位量との相関が、振動板の前方側と後方側とで一致する線形にはならず、非線形の変位特性を示す。そして、この変位特性が、音響的な歪みを残す原因となることがあった。
【０００４】
そこで、このような不都合を解消するべく、図１に示す構造のスピーカエッジが提案されている。
このスピーカエッジ１は、下記特許文献２に記載されたもので、振動板の振幅方向の前後から貼り合わせた一対のエッジ半体２，３から形成されている。
各エッジ半体２，３は、振動板の外周に接合される振動板側フランジ４を構成する内周フランジ部２ａ，３ａと、振動板側フランジ４の外周に連接されて振動板の振動を制振する緩衝部５を構成する円弧部２ｂ，３ｂと、緩衝部５の外周から張り出してスピーカフレームに接合されるフレーム側フランジ６を構成する外周フランジ部２ｃ，３ｃと、を備えた構造であり、互いのフランジ部を貼着することにより一体化されている。
【０００５】
各エッジ半体２，３は、略対称構造である。即ち、それぞれの円弧部２ｂ，３ｂは、互いに逆向きに凸の半円状に成形されており、一体化することで、振動板の振幅方向（図１では、矢印Ａ方向）に対称構造となる円管状の緩衝部５を形成している。
【０００６】
各エッジ半体２，３は、例えば、発泡構造を持つ弾性材料（例えば、発泡ウレタン）等の射出成形やプレス成形により、所定の寸法・形状に製造され、その後、互いのフランジ部を接着一体化することによってスピーカエッジ１が完成される。
【０００７】
図１に示したスピーカエッジ１では、緩衝部５が振動板の振幅方向に対称構造になっているため、振動板に加えられる駆動力と振動板の変位量との相関が、振動板の前方側と後方側とで一致する線形の変位特性を得ることができ、それにより、音響的な歪みの低減を図ることができる。
【０００８】
【特許文献１】特開２０００−２６１８８５号公報
【特許文献２】特開２００４−３６４２７０号公報
【発明の開示】
【発明が解決しようとする課題】
【０００９】
ところで、特許文献２に記載のように緩衝部５を円管状にしたスピーカエッジ１では、緩衝部５の内部空間５ａが密閉空間であると、周囲の温度変化によって内部空間５ａ内の空気が体積変化し、緩衝部５の弾性特性が周囲温度により変動してしまうため、安定した音響性能を得ることができない。
そこで、内部空間５ａは、振動板の後方側の空間あるいは振動板の前方側の空間の何れか一方に連通した開放空間にする必要が生じ、特許文献２の場合では、エッジ半体２，３の何れか一方に空気透過性を付与することで、内部空間５ａの開放化を実現している。
【００１０】
ところが、エッジ半体２，３の何れか一方に空気透過性を付与する対応では、エッジ半体２とエッジ半体３との間に構造や材料組成等での相異点が生じるため、それぞれのエッジ半体毎に個別に製造ラインを準備しなければならず、スピーカエッジ１の製造工程が繁雑化して、製造コストの増大を招くという問題が生じた。
【００１１】
また、一方のエッジ半体にのみ空気透過性を付与することにより、円弧部２ｂ，３ｂ相互が厳密には対称構造とはならず、それに起因して、振動板に加えられる駆動力と振動板の変位量との相関の線形性が損なわれて、音響性能が低下する虞があった。
【００１２】
更に、また、２つのエッジ半体２，３を正確に位置合わせした状態で貼り合わせることが難しく、貼り合わせの際の微少な位置ずれが性能にばらつきを招き、安定した製品を歩留まり良く製造することが難しいという問題も生じた。
【００１３】
本発明が解決しようとする課題としては、上述した従来技術において生じる、緩衝部が振動板の前後方向に非対称となることで、音響的な歪みの発生原因となる変位特性の非線形化が起こるという問題、個別に製造される２つのエッジ半体を貼着して形成するため、製造工程が繁雑化して製造コストの増大を招くという問題、個別に製造される２つのエッジ半体の貼着時の位置ずれが性能にばらつきを招き、安定した製品を歩留まり良く製造することが難しいという問題がそれぞれ一例として挙げられる。
【課題を解決するための手段】
【００１４】
上記課題を解決するために、請求項１に記載のスピーカエッジは、振動板の外周に接合される振動板側フランジと、該振動板側フランジの外周に連接されて振動板の振動を制振する緩衝部と、該緩衝部の外周から張り出してスピーカフレームに接合されるフレーム側フランジと、を備えて、前記振動板の外周をスピーカ軸方向に変位可能にスピーカフレームに接続するスピーカエッジであって、前記緩衝部が、振動板の振幅方向に対向する前面及び後面が互いに対称な凸円弧形状となる中実構造に形成されていることを特徴とする。
【発明を実施するための最良の形態】
【００１５】
以下、本発明に係るスピーカエッジ及びその製造方法の好適な実施の形態について説明する。
本発明の実施の形態となるスピーカエッジは、振動板の外周に接合される振動板側フランジと、該振動板側フランジの外周に連接されて振動板の振動を制振する緩衝部と、該緩衝部の外周から張り出してスピーカフレームに接合されるフレーム側フランジとを備えて、前記振動板の外周をスピーカ軸方向に変位可能にスピーカフレームに接続するスピーカエッジであって、
前記緩衝部が、振動板の振幅方向に対向する前面及び後面が互いに対称な凸円弧形状となる中実構造に形成されていることを特徴とする。
【００１６】
以上の構成によれば、本実施の形態のスピーカエッジは緩衝部が振動板の前後方向に対称構造となるため、振動板の振幅方向前方側と振幅方向後方側とで変位特性に差異が生ずることがなく、前後方向への変位特性が安定した線形になる。その結果、音響的な歪みの発生を抑止できる。また、従来の円管状の緩衝部と比較すると、緩衝部が中実であることから、周囲温度の変化による内部空間の膨張等で緩衝部の弾性特性が変動することもなく、振動板の前後いずれの方向の変位に対しても安定した変位特性を維持できる。従って、本実施の形態のスピーカエッジを使って振動板をスピーカフレームに接続したスピーカユニットにおいては、周囲温度の変化の影響を受けずに、歪みの少ない高品位の音響性能を得ることができる。
また、本実施の形態のスピーカエッジは、単一の部品で構成されることから、２つのエッジ半体を貼着して形成していた従来品と比較して、２種のエッジ半体を個別に製造する手間や、２つのエッジ半体相互を接着する工程が不要となり、製造工程の簡略化を図れる。更に、２つのエッジ半体相互を接着する際の位置合わせが不要で、製品の精度が安定するため、製品歩留まりの向上も図れる。
従って、スピーカエッジの製造コストの低減や製品歩留まりの向上を図ることもできる。
【００１７】
なお、好ましくは、上記実施の形態において、前記振動板側フランジと、前記緩衝部と、前記フレーム側フランジとを、発泡構造を持つ弾性材料により一体形成した構成とすると良い。
このようにすると、例えば、その弾性材料における発泡率を適宜に調整することで、スピーカエッジの重量、弾性特性、変位特性を調整でき、振動板の重量や振動板の駆動力に相応したエッジ特性を容易に得ることができる。
【００１８】
また、上記実施形態のスピーカエッジは、弾性材料製の板材を圧縮成形することにより、前記振動板側フランジと、前記緩衝部と、前記フレーム側フランジとを一体形成した構成とすると良い。
このような構成にすると、弾性材料製の板材は、構造が単純で、強度アップや軽量化に有利な発泡構造とする場合も、発泡率が均質な安定した板材に製造できるため、安定したスピーカエッジを容易に製造することができ、スピーカエッジの生産性を向上させることができる。
【００１９】
以下、本発明の実施の形態に係るスピーカ装置の具体的な実施例について図面を参照して詳細に説明する。
【実施例】
【００２０】
図２は、本発明の実施の形態に係るスピーカ装置の実施例を使用したスピーカユニットの縦断面図、図３は図２に示したスピーカエッジのＢ部の拡大斜視図である。
図２に示したスピーカユニット１１は、コーン型の振動板１３と、この振動板１３の背部に配置される磁気回路１５と、これらの振動板１３及び磁気回路１５を支持するスピーカフレーム１７とを備えている。
【００２１】
振動板１３は、内周縁に円筒状のボイスコイルボビン１９が接合されており、該ボイスコイルボビン１９の後端側（磁気回路１５側）にボイスコイルが巻回されている。
振動板１３は、その外周縁に接着されたスピーカエッジ２１と、ボイスコイルボビン１９に接着されたコルゲーションダンパ２３を介して、軸方向に変位自在にスピーカフレーム１７に接続されている。
【００２２】
磁気回路１５は、振動板１３側に開口部を有した壺型構造に一体形成された磁性体製のツボヨーク２５と、該ツボヨーク２５の底壁２５ａと平行にツボヨーク２５の内部に配置される円板状のマグネット２６と、このマグネット２６の両面を挟むようにツボヨーク２５内に配置された一対の磁性体製のプレート２７，２８と、ツボヨーク２５の底壁２５ａの中心を挿通するセンターポール２９とで構成されている。振動板１３側に位置するプレート２８の外周とツボヨーク２５の筒部との間の隙間が、ボイスコイルボビンが挿通される磁気隙間となっている。
【００２３】
本実施例におけるスピーカエッジ２１は、図３に示すように、振動板１３の外周に接合される振動板側フランジ３１と、該振動板側フランジ３１の外周に連接されて振動板１３の振動を制振する緩衝部３２と、該緩衝部３２の外周から張り出してスピーカフレーム１７のエッジ支持部１７ａに接合されるフレーム側フランジ３３とを備えて、振動板１３の外周をスピーカ軸方向に変位可能にスピーカフレーム１７に接続する。
【００２４】
本実施例の緩衝部３２は、図３に示すように、振動板１３の振幅方向に対向する前面３２ａ及び後面３２ｂが互いに対称な凸円弧形状となる中実構造に形成されている。
【００２５】
また、本実施例の場合、振動板側フランジ３１と緩衝部３２とフレーム側フランジ３３とは、発泡構造を持つ弾性材料により一体形成されている。図３に示す符号３２ｃは、発泡構造の気泡部である。
発泡構造を持つ弾性材料としては、例えば、発泡ポリウレタンを挙げることができるが、他の樹脂材料を利用することもできる。
【００２６】
以上に説明した実施例のスピーカエッジ２１は、緩衝部３２が振動板１３の前後方向に対称構造となるため、振動板１３の振幅方向前方側と振幅方向後方側とで変位特性に差異が生ずることがない。従って、前後方向への変位特性が安定した線形になる。その結果、音響的な歪みの発生を抑止できる。また、従来の円管状の緩衝部と比較すると、緩衝部３２が中実であることから、周囲温度の変化による内部空間の膨張等で緩衝部の弾性特性が変動することもなく、振動板１３の前後いずれの方向の変位に対しても安定した変位特性を維持できる。従って、本実施の形態のスピーカエッジ２１を使って振動板１３をスピーカフレーム１７に接続したスピーカユニット１１においては、周囲温度の変化の影響を受けずに、歪みの少ない高品位の音響性能を得ることができる。
【００２７】
また、本実施例のスピーカエッジ２１は、単一の部品で構成されることから、２つのエッジ半体を貼着して形成していた従来品と比較して、２種のエッジ半体を個別に製造する手間や、２つのエッジ半体相互を接着する工程が不要となり、製造工程の簡略化を図れる。更に、２つのエッジ半体相互を接着する際の位置合わせが不要で、製品の精度が安定するため、製品歩留まりの向上も図れる。
従って、スピーカエッジ２１の製造コストの低減や製品歩留まりの向上を図ることもできる。
【００２８】
実施例のスピーカエッジ２１は、振動板側フランジ３１と緩衝部３２とフレーム側フランジ３３とを、発泡構造を持つ弾性材料により一体形成する構成のため、例えば、使用する発泡ポリウレタン等の弾性材料における発泡率を予め適宜に調整することで、スピーカエッジ２１の重量、弾性特性、変位特性を調整でき、振動板１３の重量や振動板１３の駆動力に相応したエッジ特性を容易に得ることができる。
【００２９】
なお、上記実施例のスピーカエッジ２１の場合、緩衝部３２は、略真円の断面形状であるが、振動板１３の振幅方向の前方側及び後方側への変位特性に差異を無くすという点では、緩衝部３２の前面３２ａ及び後面３２ｂが互いに対称な凸円弧形状であれば良く、緩衝部３２の断面形状としては、真円に限らず、楕円形等に形成することも考えられる。
【００３０】
（スピーカエッジの製造方法の実施例１）
次に、上記スピーカエッジ２１の製造方法の実施例１について、説明する。
図４は、図３に示したスピーカエッジ２１の製造方法の説明図、図５は図４に示したスピーカエッジ２１の製造方法で使用する弾性材料製の板材の説明図である。
図４に示した製造方法は、予め、所定の板厚に形成された弾性材料製の板材４１（図４（ｂ）及び図５参照）をプレス装置の上下金型４２，４３により圧縮成形することにより、振動板側フランジ３１と緩衝部３２とフレーム側フランジ３３とを一体形成したスピーカエッジ２１を製造するものである。
具体的には、まず、図４（ａ）に示すように、プレス装置の上下金型４２，４３を所定の熱成形温度に加熱された状態にセットし、次いで、図４（ｂ）に示すように、これらの上下金型４２，４３間に板材４１をセットする。次いで、（ｃ）に示すように、上下金型４２，４３を所定圧で型締めし、板材４１上にスピーカエッジ２１となる形状を形成する。次いで、（ｄ）及び（ｅ）に示すように、上下金型４２，４３を開いて成形品４５を取り出したら、その成形品４５から不要な内外周部４６，４７を切除することで、図３に示したスピーカエッジ２１を得る。
【００３１】
板材４１は、図５に示すように、例えば、発泡による気泡４１ａが内部に均質に形成された発泡ポリウレタンの平板で、板材４１の製造時に、弾性特性に密接な発泡率等を調整しておく。
【００３２】
この製造方法によれば、使用する弾性材料製の板材４１は、構造が単純で、強度アップや軽量化に有利な発泡構造とする場合も、発泡率が均質な安定した板材に製造できるため、安定したスピーカエッジ２１を容易に製造することができ、スピーカエッジ２１の生産性を向上させることができる。
【００３３】
スピーカエッジ２１の製造方法は、図４で説明したように弾性材料製の板材からプレス成形により形成する方法には、限らない。例えば、図６に示すように弾性樹脂材料の射出成形により製造する方法や、予めリング状のプレ成形品を更に加圧成形する方法、あるいは、複数の弾性樹脂材料の積層構造に形成する方法など、各種が考えられる。以下に、実施例１とは異なる各種の製造方法について説明する。
【００３４】
（スピーカエッジの製造方法の実施例２）
図６（ａ）は上記スピーカエッジ２１の製造方法の実施例２である。
この製造方法の特徴は、成形型５１ａ，５１ｂにより形成されるキャビティ５１ｃ内に２種の弾性樹脂材料５３，５４を射出して、振動板の振幅方向の前面側と後面側とで構成樹脂を変えた二層構造のスピーカエッジ２１を製造するものである。
【００３５】
（スピーカエッジの製造方法の実施例３）
図６（ｂ）は上記スピーカエッジ２１の製造方法の実施例３である。
この製造方法の特徴は、実施例２を更に発展させたもので、成形型５１ａ，５１ｂにより形成されるキャビティ５１ｃ内に２種の弾性樹脂材料５３，５４を３層に射出して、表面側と内部とで構成樹脂を変えたスピーカエッジ２１を製造するものである。
以上のスピーカエッジの製造方法の実施例２及び実施例３によれば、例えば、スピーカエッジ２１の表面には発泡倍率が低く気密性の高い発泡構造の弾性樹脂材料５３を使用するなど、エッジ構造のバリエーションを増やすことができ、音質の調整や耐疲労特性を考慮した改良が容易になる。
【００３６】
（スピーカエッジの製造方法の実施例４）
図６（ｃ）は上記スピーカエッジ２１の製造方法の実施例４である。
この製造方法の特徴は、成形型５１ａ，５１ｂにより形成されるキャビティ５１ｃ内に予めメッシュ材、又はフィルム、又は布材による補強用シート材５６を挿入しておいて、補強用シート材５６の周囲に弾性樹脂材料５７を射出する。このような成形法を採用することで、エッジの硬さ調整に幅を持たせることができ、また、スピーカの耐入力を向上させるための強度アップを図ることができる。
【００３７】
（スピーカエッジの製造方法の実施例５）
図７は上記スピーカエッジ２１の製造方法の実施例５である。
この製造方法の特徴は、図４に示したような加熱プレスや図６に示した射出成形の方法ではなく、成形型５１ａ，５１ｂにより形成されるキャビティ５１ｃ内で、材料を発泡させて、スピーカエッジ２１の所定形状に製造するものである。
（ａ）に示すように、成形型５１ａ，５１ｂを開いた状態で、キャビティ５１ｃ内に材料６１を注入し、次いで、成形型５１ａ，５１ｂを閉じた状態にすることで、キャビティ５１ｃ内に材料を膨張させることで、所定の寸法形状のスピーカエッジ２１を製造する。
【００３８】
（スピーカエッジの製造方法の実施例６）
図８は上記スピーカエッジ２１の製造方法の実施例６である。
この製造方法の特徴は、図５に示した製造方法で、キャビティ５１ｃ内に充填する材料として、更に発泡倍率の高い材料６２を採用するものである。
以上の実施例５や実施例６の製造方法では、成形型５１ａ，５１ｂのキャビティ５１ｃの形状を改良することで、成形後にトリミング処理により除去する不要部分（例えば、図４（ｅ）に示した内外周部４６，４７）を低減させて、材料の節約を図ることができる。
【００３９】
（スピーカエッジの製造方法の実施例７）
図９は前記スピーカエッジ２１の製造方法の実施例７である。
この製造方法の特徴は、成形型５１ａ，５１ｂにより形成されるキャビティ５１ｃ内に発泡材料を射出して、キャビティ５１ｃ内で発泡を促す製造方法であるが、発泡材料の注入口５１ｄを、型開き方向に装備している。このような成形型では、図９（ｂ）に示すように、発泡の成長に応じて一方の成形型５１ａをスライドさせることで、キャビティ５１ｃの調整ができ、キャビティ５１ｃの隅々まで、より確実に材料を充填することが可能になり、成形精度を向上させることができる。
【００４０】
以上、上記実施例において詳述したように、本発明の実施の形態に係るスピーカエッジ２１は、振動板１３の外周に接合される振動板側フランジ３１と、該振動板側フランジ３１の外周に連接されて振動板１３の振動を制振する緩衝部３２と、該緩衝部３２の外周から張り出してスピーカフレーム１７に接合されるフレーム側フランジ３３とを備えて、前記振動板１３の外周をスピーカ軸方向に変位可能にスピーカフレーム１７に接続するスピーカエッジ２１であって、
前記緩衝部３２が、振動板１３の振幅方向に対向する前面３２ａ及び後面３２ｂが互いに対称な凸円弧形状となる中実構造に形成されていることを特徴としている。
これにより、緩衝部３２が振動板１３の前後方向に対称構造となるため、振動板１３の前後方向への変位特性が線形化される。その結果、音響的な歪みの発生を抑止できる。また、従来の円管状の緩衝部３２と比較すると、緩衝部３２が中実であることから、周囲温度の変化による内部空間の膨張等で緩衝部３２の弾性特性が変動することもなく、振動板１３の前後いずれの方向の変位に対しても安定した変位特性を維持できる。従って、本実施の形態のスピーカエッジ２１を使って振動板１３をスピーカフレーム１７に接続したスピーカユニット１１においては、周囲温度の変化の影響を受けずに、歪みの少ない高品位の音響性能を得ることができる。
また、本実施の形態のスピーカエッジ２１は、単一の部品で構成されることから、２つのエッジ半体を貼着して形成していた従来品と比較して、２種のエッジ半体を個別に製造する手間や、２つのエッジ半体相互を接着する工程が不要となり、製造工程の簡略化を図れる。更に、２つのエッジ半体相互を接着する際の位置合わせが不要で、製品の精度が安定するため、製品歩留まりの向上も図れる。
従って、スピーカエッジ２１の製造コストの低減や製品歩留まりの向上を図ることもできる。
【００４１】
また、以上、上記各実施例において詳述したように、本発明の実施の形態に係るスピーカエッジ２１の製造方法は、弾性材料製の板材を圧縮成形することにより、振動板側フランジ３１と、緩衝部３２と、前記フレーム側フランジ３３とを一体形成したことを特徴としている。
このような構成にすると、弾性材料製の板材は、構造が単純で、強度アップや軽量化に有利な発泡構造とする場合も、発泡率が均質な安定した板材を製造できるため、安定したスピーカエッジ２１を容易に製造することができ、スピーカエッジ２１の生産性を向上させることができる。
【図面の簡単な説明】
【００４２】
【図１】従来のスピーカエッジの一部を断面した拡大斜視図である。
【図２】本発明の実施の形態に係るスピーカ装置の実施例を使用したスピーカユニットの縦断面図である。
【図３】図２に示したスピーカエッジのＢ部の拡大斜視図である。
【図４】図３に示したスピーカエッジの製造方法の実施例１の説明図である。
【図５】図４に示したスピーカエッジの製造方法で使用する弾性材料製の板材の説明図である。
【図６】本発明の実施の形態に係るスピーカエッジの製造方法の実施例２〜４の説明図である。
【図７】本発明の実施の形態に係るスピーカエッジの製造方法の実施例５の説明図である。
【図８】本発明の実施の形態に係るスピーカエッジの製造方法の実施例６の説明図である。
【図９】本発明の実施の形態に係るスピーカエッジの製造方法の実施例７の説明図である。
【符号の説明】
【００４３】
１１  スピーカユニット
１３  振動板
１５  磁気回路
１７  スピーカフレーム
２１  スピーカエッジ
３１  振動板側フランジ
３２  緩衝部
３２ａ  前面
３２ｂ  後面
３２ｃ  発泡による気泡部
３３  フレーム側フランジ
４１  板材
４１ａ  気泡
４２，４３  上下金型
４５  成形品
４６，４７  内外周部
５１ａ，５１ｂ  成形型
５１ｃ  キャビティ
５３、５４  弾性樹脂材料
５６  補強用シート材
５７  弾性樹脂材料
６１，６２，６３  材料
【図１】
2007325093.tif 000003
【図２】
2007325093.tif 000004
【図３】
2007325093.tif 000005
【図４】
2007325093.tif 000006
【図５】
2007325093.tif 000007
【図６】
2007325093.tif 000008
【図７】
2007325093.tif 000009
【図８】
2007325093.tif 000010
【図９】
2007325093.tif 000011